(57)【要約】      （修正有）【課題】同軸配線上で放送信号とネットワーク信号とが干渉しているか否かの判断を容易に行うことが可能な放送受信装置を提供する。【解決手段】セットトップボックス１０（放送受信装置）は、家庭内同軸配線２を介して放送信号を受信可能な受信部１１３と、家庭内同軸配線２上における放送信号およびネットワーク信号の使用周波数帯域を表示部４１に表示させる制御を行うＣＰＵ１２とを備え、ユーザの操作によりネットワーク信号の使用周波数帯域を変更可能なように構成されている。【選択図】図３
2012090128.tif 000002
【特許請求の範囲】
【請求項１】
同軸配線を介して放送信号を受信可能な受信部と、
前記同軸配線上における放送信号およびネットワーク信号の使用周波数帯域を表示部に表示させる制御を行う制御部とを備え、
ユーザの操作により前記ネットワーク信号の使用周波数帯域を変更可能なように構成されている、放送受信装置。
【請求項２】
前記制御部は、前記同軸配線上における前記放送信号および前記ネットワーク信号の使用周波数帯域に加えて、前記放送信号の受信レベルおよび前記ネットワーク信号の信号強度も前記表示部に表示させる制御を行うように構成されている、請求項１に記載の放送受信装置。
【請求項３】
前記制御部は、前記同軸配線上における前記放送信号および前記ネットワーク信号の使用周波数帯域と、前記放送信号の受信レベルおよび前記ネットワーク信号の信号強度とを棒グラフ形式で前記表示部に表示させる制御を行うように構成されている、請求項２に記載の放送受信装置。
【請求項４】
前記制御部は、現在使用している前記ネットワーク信号の周波数帯域と、前記現在使用しているネットワーク信号の周波数帯域の近傍の前記放送信号の周波数帯域とを少なくとも前記表示部に表示させる制御を行うように構成されている、請求項１〜３のいずれか１項に記載の放送受信装置。
【請求項５】
前記制御部は、前記ユーザの操作により前記ネットワーク信号の使用周波数帯域が変更された場合に、前記同軸配線上における前記放送信号および前記ネットワーク信号の使用周波数帯域を、前記ネットワーク信号の使用周波数帯域が変更された後の状態で前記表示部に表示させる制御を行うように構成されている、請求項１〜４のいずれか１項に記載の放送受信装置。
【請求項６】
前記同軸配線を介して前記ネットワーク信号を送信可能な送信部をさらに備え、
前記制御部は、前記ユーザの操作により前記ネットワーク信号の使用周波数帯域が変更された場合に、変更後の使用周波数帯域で前記ネットワーク信号を前記送信部を介して送信する制御を行うように構成されている、請求項１〜５のいずれか１項に記載の放送受信装置。
【発明の詳細な説明】
【技術分野】
【０００１】
この発明は、放送受信装置に関し、特に、同軸配線を介して放送信号を受信可能な受信部を備える放送受信装置に関する。
【背景技術】
【０００２】
従来、同軸配線を介して放送信号を受信可能な受信部を備える衛星受信機（放送受信装置）が知られている（たとえば、特許文献１参照）。この特許文献１に開示されている衛星受信機は、接続ケーブル（同軸配線）を介して衛星受信アンテナから受信した中間周波信号（放送信号）の受信状態が良好か否かを表す受信レベルを表示部に表示させるように構成されている。
【先行技術文献】
【特許文献】
【０００３】
【特許文献１】実開平５−４８４８２号公報
【発明の概要】
【発明が解決しようとする課題】
【０００４】
しかしながら、上記特許文献１に開示されている衛星受信機では、中間周波信号の受信レベルが適正な状態であるとして表示部に表示されている場合でも、接続ケーブル上で中間周波信号と他の信号（たとえば、接続ケーブルを介してネットワークを構築しているネットワーク機器により送受信されるネットワーク信号）とが干渉することにより中間周波信号の品質が劣化して、表示部に表示される映像が乱れる場合がある。このような映像の乱れの原因を調べる場合、ユーザは、中間周波信号およびネットワーク信号の使用周波数帯域を確認することにより、接続ケーブル上で中間周波信号とネットワーク信号とが干渉しているか否かの判断を行う必要がある。ここで、中間周波信号およびネットワーク信号の使用周波数帯域を確認するには、専用の測定器を用いる必要があるという不都合がある。このため、上記特許文献１に開示されたような従来の放送受信機では、接続ケーブル（同軸配線）上で中間周波信号（放送信号）とネットワーク信号とが干渉しているか否かの判断がしづらいという問題点がある。
【０００５】
この発明は、上記のような課題を解決するためになされたものであり、この発明の１つの目的は、同軸配線上で放送信号とネットワーク信号とが干渉しているか否かの判断を容易に行うことが可能な放送受信装置を提供することである。
【課題を解決するための手段および発明の効果】
【０００６】
この発明の一の局面による放送受信装置は、同軸配線を介して放送信号を受信可能な受信部と、同軸配線上における放送信号およびネットワーク信号の使用周波数帯域を表示部に表示させる制御を行う制御部とを備え、ユーザの操作によりネットワーク信号の使用周波数帯域を変更可能なように構成されている。
【０００７】
この発明の一の局面による放送受信装置では、上記のように、制御部を、同軸配線上における放送信号およびネットワーク信号の使用周波数帯域を表示部に表示させる制御を行うように構成することによって、放送信号の使用周波数帯域とネットワーク信号の使用周波数帯域とが接近または重なっているか否かを表示部を見ることにより視覚的に判断することができる。これにより、同軸配線上でネットワーク信号と放送信号とが干渉しているか否かの判断を容易に行うことができる。また、ユーザの操作によりネットワーク信号の使用周波数帯域を変更可能なように構成することによって、放送信号の使用周波数帯域とネットワーク信号の使用周波数帯域とが接近または重なっている場合に、ネットワーク信号の使用周波数帯域を放送信号の使用周波数帯域から遠ざけるように変更することができる。
【０００８】
上記一の局面による放送受信装置において、好ましくは、制御部は、同軸配線上における放送信号およびネットワーク信号の使用周波数帯域に加えて、放送信号の受信レベルおよびネットワーク信号の信号強度も表示部に表示させる制御を行うように構成されている。このように構成すれば、表示部に表示された放送信号の受信レベルを見ることにより、表示部に表示再生される映像が乱れている場合に、その映像の乱れが放送信号の受信レベルが低いことに起因するものであるか否かを容易に判断することができる。また、表示部に表示されたネットワーク信号の信号強度を見ることにより、ネットワーク信号の信号強度が必要以上に大きくなっていないか否かを容易に判断することができる。
【０００９】
この場合、好ましくは、制御部は、同軸配線上における放送信号およびネットワーク信号の使用周波数帯域と、放送信号の受信レベルおよびネットワーク信号の信号強度とを棒グラフ形式で表示部に表示させる制御を行うように構成されている。このように構成すれば、同軸配線上における放送信号およびネットワーク信号の使用周波数帯域と、放送信号の受信レベルおよびネットワーク信号の信号強度とが文字や数字により表示部に表示される場合と異なり、同軸配線上における放送信号およびネットワーク信号の使用周波数帯域と、放送信号の受信レベルおよびネットワーク信号の信号強度とを容易に視覚的に認識することができる。
【００１０】
上記一の局面による放送受信装置において、好ましくは、制御部は、現在使用しているネットワーク信号の周波数帯域と、現在使用しているネットワーク信号の周波数帯域の近傍の放送信号の周波数帯域とを少なくとも表示部に表示させる制御を行うように構成されている。このように構成すれば、同軸配線上における放送信号およびネットワーク信号の使用周波数帯域の全体が表示部に表示される場合と異なり、放送信号の使用周波数帯域とネットワーク信号の使用周波数帯域とが接近または重なる可能性のある部分のみが表示部に表示されるので、同軸配線上でネットワーク信号と放送信号とが干渉しているか否かを明確に判断することができる。
【００１１】
上記一の局面による放送受信装置において、好ましくは、制御部は、ユーザの操作によりネットワーク信号の使用周波数帯域が変更された場合に、同軸配線上における放送信号およびネットワーク信号の使用周波数帯域を、ネットワーク信号の使用周波数帯域が変更された後の状態で表示部に表示させる制御を行うように構成されている。このように構成すれば、表示部を見ることにより、ユーザの操作によりネットワーク信号の使用周波数帯域が変更された後の放送信号の使用周波数帯域とネットワーク信号の使用周波数帯域とが接近または重なっているか否かの判断を容易に行うことができる。
【００１２】
上記一の局面による放送受信装置において、好ましくは、同軸配線を介してネットワーク信号を送信可能な送信部をさらに備え、制御部は、ユーザの操作によりネットワーク信号の使用周波数帯域が変更された場合に、変更後の使用周波数帯域でネットワーク信号を送信部を介して送信する制御を行うように構成されている。このように構成すれば、たとえば放送信号の使用周波数帯域とネットワーク信号の使用周波数帯域とが接近または重ならないようにネットワーク信号の使用周波数帯域を変更することにより、放送信号とネットワーク信号とが干渉するのを抑制しながら、同軸配線上でネットワークを構築することができる。
【図面の簡単な説明】
【００１３】
【図１】本発明の第１実施形態によるセットトップボックスを含むホームネットワークの構成を示したイメージ図である。
【図２】本発明の第１実施形態によるセットトップボックスが接続される家庭内同軸配線上における衛星放送信号およびネットワーク信号の使用周波数帯域を示したイメージ図である。
【図３】本発明の第１および第２実施形態によるセットトップボックスの構成を示したブロック図である。
【図４】本発明の第１実施形態によるセットトップボックスに接続されるテレビジョン装置の表示部に表示される周波数マップを示した図である。
【図５】本発明の第１実施形態によるセットトップボックスに接続されるテレビジョン装置の表示部に表示される周波数マップのユーザによりホームネットワークの通信チャンネルが変更された後の状態を示した図である。
【図６】本発明の第１実施形態によるセットトップボックスのユーザによりホームネットワークの通信チャンネルが変更される際におけるＣＰＵの制御動作を説明するためのフローチャートである。
【図７】本発明の第２実施形態によるテレビジョン装置を含むホームネットワークの構成を示したイメージ図である。
【図８】本発明の第２実施形態によるテレビジョン装置が接続される家庭内同軸配線上における衛星放送信号およびネットワーク信号の使用周波数帯域を示したイメージ図である。
【図９】本発明の第２実施形態によるテレビジョン装置の表示部に表示される周波数マップを示した図である。
【図１０】本発明の第２実施形態によるテレビジョン装置の表示部に表示される周波数マップのユーザによりホームネットワークの通信チャンネルが変更された後の状態を示した図である。
【図１１】本発明の第２実施形態によるセットトップボックスのユーザによりホームネットワークの通信チャンネルが変更される際におけるＣＰＵの制御動作を説明するためのフローチャートである。
【発明を実施するための形態】
【００１４】
以下、本発明の実施形態を図面に基づいて説明する。
【００１５】
（第１実施形態）
まず、図１を参照して、本発明の第１実施形態によるセットトップボックス１０を含むホームネットワーク１の構成について説明する。なお、セットトップボックス１０は、本発明の「放送受信装置」の一例である。
【００１６】
ホームネットワーク１は、図１に示すように、セットトップボックス１０と、ＰＣ（Ｐｅｒｓｏｎａｌ  Ｃｏｍｐｕｔｅｒ）２０と、テレビジョン装置３０とが家庭内同軸配線２を介して接続されることにより構成されている。このホームネットワーク１は、ＭｏＣＡ規格（Ｍｕｌｔｉｍｅｄｉａ  ｏｖｅｒ  Ｃｏａｘ  Ａｌｌｉａｎｃｅ規格）に準拠したネットワークである。ＭｏＣＡ規格とは、同軸配線を利用したネットワークの通信規格の一つである。なお、第１実施形態では、家庭内同軸配線２は、ケーブルテレビ局３に接続されている。このケーブルテレビ局３は、ケーブルテレビの各放送チャンネルに対応するケーブルテレビ放送信号を家庭内同軸配線２上に伝送するように構成されている。
【００１７】
ここで、図２を参照して、ＭｏＣＡ規格の概略を説明する。
【００１８】
ＭｏＣＡ規格では、後述するビーコン信号などのネットワーク信号の送受信に使用する通信チャンネルとして、同軸配線上の８５０ＭＨｚ以上１５２５ＭＨｚ以下の周波数帯域に、５０ＭＨｚの帯域幅を有する１４個の通信チャンネル（Ａ１、Ｂ１、Ｃ１、Ｃ２、Ｃ３、Ｃ４、Ｄ１、Ｄ２、Ｄ３、Ｄ４、Ｄ５、Ｄ６、Ｄ７およびＤ８チャンネル）が定義されている。
【００１９】
図２に示すように、Ａ１、Ｂ１およびＣ１〜Ｃ４チャンネルは、８５０ＭＨｚ以上１０２５ＭＨｚ以下の周波数帯域に形成されるように構成されている。また、Ｄ１〜Ｄ８チャンネルは、１１２５ＭＨｚ以上１５２５ＭＨｚ以下の周波数帯域に形成されるように構成されている。ＭｏＣＡ規格では、ネットワークの構成単位である各ノードは、上記の１４個の通信チャンネルを選択的に使用してネットワーク信号の送受信を行うことにより、同軸配線上でネットワークを構築するように構成されている。
【００２０】
第１実施形態では、Ａ１、Ｂ１およびＣ１〜Ｃ４チャンネルが形成されるＭｏＣＡ規格で定義された周波数帯域（８５０ＭＨｚ以上１０２５ＭＨｚ以下の周波数帯域）は、ケーブルテレビ局３（図１参照）により伝送されるケーブルテレビ放送信号の使用周波数帯域（５０ＭＨｚ以上１００２ＭＨｚ以下の周波数帯域）と重複している。したがって、セットトップボックス１０、ＰＣ２０およびテレビジョン装置３０は、ホームネットワーク１を構築する際に、ケーブルテレビ放送信号の使用周波数帯域と重複するＡ１、Ｂ１およびＣ１〜Ｃ４チャンネルを使用せずに、Ｄ１〜Ｄ８チャンネルを選択的に使用するように構成されている。
【００２１】
また、ＭｏＣＡ規格では、１個のネットワークを構成する複数のノードのうち１個のノードがＮＣ（Ｎｅｔｗｏｒｋ  Ｃｏｏｒｄｉｎａｔｏｒ）ノードとして選択されるように構成されている。ＮＣノードとは、ネットワークを管理する機能を有するノードのことである。たとえば、ＮＣノードは、ネットワークの存在を同軸配線上の全てのノードに通知するためのビーコン信号を送信したり、ネットワークに参加していないノードがネットワークに参加するのを許可したりする機能を有する。第１実施形態では、セットトップボックス１０がＮＣノードとして機能するものとする。
【００２２】
なお、ＭｏＣＡ規格に準拠したネットワークが構築される際には、まず、ＮＣノードによりビーコン信号が同軸配線上に送信される。そして、そのビーコン信号を受信した同軸配線上の他のノードにより、ネットワークへの参加要求信号がＮＣノードに対して返信される。そして、その参加要求信号を受信したＮＣノードにより、各ノードのネットワークへの参加の許可または不許可が決定され、ネットワークが構築される。
【００２３】
次に、図３〜図５を参照して、本発明の第１実施形態によるセットトップボックス１０の構成について説明する。
【００２４】
本発明の第１実施形態によるセットトップボックス１０は、図３に示すように、通信部１１と、ＣＰＵ１２と、映像出力部１３と、メモリ１４と、リモコン受光部１５と、リモコン１６とにより構成されている。なお、ＣＰＵ１２は、本発明の「制御部」の一例である。
【００２５】
通信部１１は、家庭内同軸配線２を介してケーブルテレビ局３（図１参照）に接続されている。また、通信部１１は、ＭｏＣＡ規格に準拠した通信を行うことが可能なように構成されている。また、通信部１１は、スイッチ１１１と、送信部１１２と、受信部１１３とにより構成されている。
【００２６】
スイッチ１１１は、家庭内同軸配線２と送信部１１２との接続と、家庭内同軸配線２と受信部１１３との接続とを時分割で切り替えるように構成されている。送信部１１２は、ＭｏＣＡ規格によるネットワーク信号を送信可能なように構成されている。このＭｏＣＡ規格によるネットワーク信号は、５０ＭＨｚの帯域幅を有している。
【００２７】
受信部１１３は、家庭内同軸配線２を介してケーブルテレビ局３（図１参照）から伝送されるケーブルテレビ放送信号を受信可能なように構成されている。このケーブルテレビ放送信号は、６ＭＨｚの帯域幅を有している。また、受信部１１３は、ＭｏＣＡ規格によるネットワーク信号を受信可能なように構成されている。
【００２８】
ＣＰＵ１２は、セットトップボックス１０全体の制御を行うように構成されている。また、ＣＰＵ１２は、映像出力部１３を介して表示部４１を有するテレビジョン装置４０に接続されることにより、テレビジョン装置４０の表示部４１の表示内容を制御することが可能なように構成されている。たとえば、ＣＰＵ１２は、受信部１１３により受信されたケーブルテレビ放送信号に基づく映像をテレビジョン装置４０の表示部４１に表示再生させる制御を行うことが可能なように構成されている。なお、メモリ１４は、ＣＰＵ１２により実行される種々のプログラムが格納されるように構成されている。
【００２９】
リモコン受光部１５は、リモコン１６からの操作信号を受光するように構成されている。このリモコン受光部１５により受光された操作信号は、ＣＰＵ１２に送信されるように構成されている。すなわち、ユーザによるリモコン１６の操作に基づいて、セットトップボックス１０全体の制御およびテレビジョン装置４０の表示部４１の表示内容の制御が行われるように構成されている。なお、リモコン１６には、十字キー１６ａや決定キー１６ｂなどの操作ボタンが設けられている。このリモコン１６の十字キー１６ａや決定キー１６ｂなどが用いられることにより、後述する周波数マップ（図４および図５参照）をテレビジョン装置４０の表示部４１に表示させる操作や、通信チャンネルを変更する操作などの種々の操作が行われるように構成されている。
【００３０】
ここで、第１実施形態では、ＣＰＵ１２は、家庭内同軸配線２上におけるケーブルテレビ放送信号およびネットワーク信号の使用周波数帯域をテレビジョン装置４０の表示部４１に表示させる制御を行うように構成されている。なお、ケーブルテレビ放送信号の使用周波数帯域とは、ケーブルテレビの各放送チャンネルに対応するケーブルテレビ放送信号の周波数情報のことである。また、ネットワーク信号の使用周波数帯域とは、ホームネットワーク１上の各ノード（セットトップボックス１０、ＰＣ２０、テレビジョン装置３０）間の通信に使用されている通信チャンネル（Ｄ１〜Ｄ８チャンネルのうちのいずれか１つのチャンネル）の使用周波数帯域のことである。
【００３１】
また、ＣＰＵ１２は、家庭内同軸配線２上におけるケーブルテレビ放送信号およびネットワーク信号の使用周波数帯域に加えて、ケーブルテレビ放送信号の受信レベルおよびネットワーク信号の信号強度もテレビジョン装置４０の表示部４１に表示させる制御を行うように構成されている。なお、ケーブルテレビ放送信号の受信レベルとは、ケーブルテレビ放送信号の受信状態を示す指標のことである。この受信レベルが低くなると、テレビジョン装置４０の表示部４１で表示再生されるケーブルテレビの映像の品質が低下する一方、受信レベルが高くなると、映像の品質が向上する。このようなケーブルテレビ放送信号の受信レベルは、たとえば、ケーブルテレビ局とセットトップボックス１０との間の物理的な距離に基づいて決定される。
【００３２】
また、ＣＰＵ１２は、家庭内同軸配線２上におけるケーブルテレビ放送信号およびネットワーク信号の使用周波数帯域と、ケーブルテレビ放送信号の受信レベルおよびネットワーク信号の信号強度とを棒グラフ形式でテレビジョン装置４０の表示部４１に表示させるように構成されている。また、ＣＰＵ１２は、現在使用しているネットワーク信号の周波数帯域と、現在使用しているネットワーク信号の周波数帯域の近傍のケーブルテレビ放送信号の周波数帯域とをテレビジョン装置４０の表示部４１に表示させる制御を行うように構成されている。
【００３３】
具体的には、ＣＰＵ１２は、図４および図５に示すような、横軸に周波数（単位：ＭＨｚ）をとるとともに、縦軸に受信レベルおよび信号強度（単位：ｄＢ）をとる棒グラフ形式の周波数マップをテレビジョン装置４０の表示部４１に表示させる制御を行うように構成されている。この周波数マップでは、ネットワーク信号の送受信に使用される通信チャンネル（Ｄ１チャンネルまたはＤ２チャンネル）と、その通信チャンネルの近傍の３つのケーブルテレビ放送信号の周波数帯域とが表示されている。
【００３４】
詳細には、図４および図５に示すように、周波数マップでは、周波数の大きい側（矢印Ｘ２方向側）に、現在使用している通信チャンネルおよびその通信チャンネルで送受信されるネットワーク信号の信号強度を示す台形状の図形が１つ表示されている。また、周波数マップでは、周波数の小さい側（矢印Ｘ１方向側）に、上記通信チャンネルの周波数帯域の近傍のケーブルテレビ放送信号の周波数帯域およびそのケーブルテレビ放送信号の受信レベルを示す長方形状の図形が３つ表示されている。また、周波数マップでは、ケーブルテレビ放送信号の受信レベルおよびネットワーク信号の信号強度の適正な大きさの範囲の上限および下限を示す１点鎖線Lおよび２点鎖線Mが表示されている。
【００３５】
また、ＣＰＵ１２は、ユーザの操作（リモコン１６の十字キー１６ａや決定キー１６ｂなどを用いた選択決定操作）によるネットワーク信号の使用周波数帯域の変更を受け付けるように構成されている。また、ＣＰＵ１２は、ユーザの操作によりネットワーク信号の使用周波数帯域が変更された場合に、家庭内同軸配線２上におけるケーブルテレビ放送信号およびネットワーク信号の使用周波数帯域を、ネットワーク信号の使用周波数帯域が変更された後の状態で表示部４１に表示させる制御を行うように構成されている。たとえば、図４に示す周波数マップがテレビジョン装置４０の表示部４１に表示された状態において、ユーザの操作（リモコン１６の十字キー１６ａや決定キー１６ｂなどを用いた選択決定操作）により通信チャンネルがＤ１チャンネルからＤ２チャンネルへと変更された場合には、図５に示す周波数マップがテレビジョン装置４０の表示部４１に表示されるように構成されている。
【００３６】
また、ＣＰＵ１２は、ユーザの操作（リモコン１６の十字キー１６ａや決定キー１６ｂなどを用いた選択決定操作）によりネットワーク信号の使用周波数帯域が変更された場合に、変更後の使用周波数帯域によりネットワーク信号を送信部１１２を介して送信する制御を行うように構成されている。たとえば、Ｄ１チャンネルでホームネットワーク１が構築されている状態において、ユーザの操作（リモコン１６の十字キー１６ａや決定キー１６ｂなどを用いた選択決定操作）により通信チャンネルがＤ１チャンネルからＤ２チャンネルへと変更された場合には、Ｄ１チャンネルで構築されているホームネットワーク１が一旦破棄されて、Ｄ２チャンネルでホームネットワーク１が再構築されるように構成されている。
【００３７】
次に、図４〜図６を参照して、本発明の第１実施形態によるセットトップボックス１０のユーザによりホームネットワーク１の通信チャンネルが変更される際におけるＣＰＵ１２の処理フローについて説明する。
【００３８】
まず、図６に示すように、ステップＳ１において、ユーザにより所定の操作（リモコン１６の十字キー１６ａや決定キー１６ｂなどを用いた選択決定操作）が行われた場合に、ケーブルテレビ放送信号およびネットワーク信号の周波数マップ（たとえば、図４参照）がテレビジョン装置４０の表示部４１に表示される。図４に示す周波数マップでは、現在使用しているネットワーク信号の周波数帯域（Ｄ１チャンネル）およびそのネットワーク信号の信号強度と、現在使用しているネットワーク信号の周波数帯域の近傍の３つのケーブルテレビ放送信号の周波数帯域およびそれら３つのケーブルテレビ放送信号の受信レベルとが棒グラフ形式で表示されている。なお、ケーブルテレビの各放送チャンネルに対応するケーブルテレビ放送信号の周波数情報は、受信部１１３を介してケーブルテレビ局３から取得される。
【００３９】
次に、ステップＳ２において、ユーザにより通信チャンネルの変更操作（リモコン１６の十字キー１６ａや決定キー１６ｂなどを用いた選択決定操作）が行われたか否かが判断される。このステップＳ２においては、ユーザにより通信チャンネルの変更操作が行われるまでこの判断が繰り返され、ユーザにより通信チャンネルの変更操作が行われたと判断された場合に、ステップＳ３に進む。
【００４０】
次に、ステップＳ３において、変更後の通信チャンネルでホームネットワーク１を再構築するためのビーコン信号が送信部１１２を介して送信される。たとえば、上記ステップＳ２において、ユーザにより通信チャンネルをＤ１チャンネルからＤ２チャンネルに変更する操作が行われた場合には、Ｄ１チャンネルで構築されているホームネットワーク１が一旦破棄されて、Ｄ２チャンネルでホームネットワーク１が再構築される。
【００４１】
次に、ステップＳ４において、通信チャンネルの変更後の周波数マップがテレビジョン装置４０の表示部４１に表示される。たとえば、図４に示すような周波数マップがテレビジョン装置４０の表示部４１に表示された状態で、ユーザにより通信チャンネルをＤ１チャンネルからＤ２チャンネルに変更する操作が行われた場合には、図５に示すような周波数マップがテレビジョン装置４０の表示部４１に表示される。そして、処理を終了する。
【００４２】
第１実施形態では、上記のように、ＣＰＵ１２を、家庭内同軸配線２上におけるケーブルテレビ放送信号およびネットワーク信号の使用周波数帯域をテレビジョン装置４０の表示部４１に表示させる制御を行うように構成することによって、ケーブルテレビ放送信号の使用周波数帯域とネットワーク信号の使用周波数帯域とが接近または重なっているか否かを表示部４１を見ることにより視覚的に判断することができる。これにより、家庭内同軸配線２上でネットワーク信号とケーブルテレビ放送信号とが干渉しているか否かの判断を容易に行うことができる。また、ユーザの操作によりネットワーク信号の使用周波数帯域を変更可能なように構成することによって、ケーブルテレビ放送信号の使用周波数帯域とネットワーク信号の使用周波数帯域とが接近または重なっている場合に、ネットワーク信号の使用周波数帯域をケーブルテレビ放送信号の使用周波数帯域から遠ざけるように変更することができる。
【００４３】
また、第１実施形態では、上記のように、ＣＰＵ１２を、家庭内同軸配線２上におけるケーブルテレビ放送信号およびネットワーク信号の使用周波数帯域に加えて、ケーブルテレビ放送信号の受信レベルおよびネットワーク信号の信号強度もテレビジョン装置４０の表示部４１に表示させる制御を行うように構成している。これにより、表示部４１に表示されたケーブルテレビ放送信号の受信レベルを見ることにより、表示部４１に表示再生されるケーブルテレビの映像が乱れている場合に、その映像の乱れがケーブルテレビ放送信号の受信レベルが低いことに起因するものであるか否かを容易に判断することができる。また、表示部４１に表示されたネットワーク信号の信号強度を見ることにより、ネットワーク信号の信号強度が必要以上に大きくなっていないか否かを容易に判断することができる。
【００４４】
また、第１実施形態では、上記のように、ＣＰＵ１２を、家庭内同軸配線２上におけるケーブルテレビ放送信号およびネットワーク信号の使用周波数帯域と、ケーブルテレビ放送信号の受信レベルおよびネットワーク信号の信号強度とを棒グラフ形式でテレビジョン装置４０の表示部４１に表示させる制御を行うように構成している。これにより、家庭内同軸配線２上におけるケーブルテレビ放送信号およびネットワーク信号の使用周波数帯域と、ケーブルテレビ放送信号の受信レベルおよびネットワーク信号の信号強度とが文字や数字により表示部４１に表示される場合と異なり、家庭内同軸配線２上におけるケーブルテレビ放送信号およびネットワーク信号の使用周波数帯域と、ケーブルテレビ放送信号の受信レベルおよびネットワーク信号の信号強度とを容易に視覚的に認識することができる。
【００４５】
また、第１実施形態では、上記のように、ＣＰＵ１２を、現在使用しているネットワーク信号の周波数帯域と、現在使用しているネットワーク信号の周波数帯域の近傍のケーブルテレビ放送信号の周波数帯域とをテレビジョン装置４０の表示部４１に表示させる制御を行うように構成している。これにより、家庭内同軸配線２上におけるケーブルテレビ放送信号およびネットワーク信号の使用周波数帯域の全体が表示部４１に表示される場合と異なり、ケーブルテレビ放送信号の使用周波数帯域とネットワーク信号の使用周波数帯域とが接近または重なる可能性のある部分のみが表示部４１に表示されるので、家庭内同軸配線２上でネットワーク信号とケーブルテレビ放送信号とが干渉しているか否かの判断を明確に行うことができる。
【００４６】
また、第１実施形態では、上記のように、ＣＰＵ１２を、ユーザの操作によりネットワーク信号の使用周波数帯域が変更された場合に、家庭内同軸配線２上におけるケーブルテレビ放送信号およびネットワーク信号の使用周波数帯域を、ネットワーク信号の使用周波数帯域が変更された後の状態でテレビジョン装置４０の表示部４１に表示させる制御を行うように構成されている。これにより、表示部４１を見ることにより、ユーザの操作によりネットワーク信号の使用周波数帯域が変更された後のケーブルテレビ放送信号の使用周波数帯域とネットワーク信号の使用周波数帯域とが接近または重なっているか否かの判断を容易に行うことができる。
【００４７】
また、第１実施形態では、上記のように、家庭内同軸配線２を介してネットワーク信号を送信可能な送信部１１２を設けている。また、ＣＰＵ１２を、ユーザの操作によりネットワーク信号の使用周波数帯域が変更された場合に、変更後の使用周波数帯域でネットワーク信号を送信部を介して送信する制御を行うように構成している。これにより、たとえばケーブルテレビ放送信号の使用周波数帯域とネットワーク信号の使用周波数帯域とが接近または重ならないようにネットワーク信号の使用周波数帯域を変更することにより、ケーブルテレビ放送信号とネットワーク信号とが干渉するのを抑制しながら、家庭内同軸配線２上でホームネットワーク１を構築することができる。
【００４８】
（第２実施形態）
次に、図７〜図１２を参照して、本発明の第２実施形態によるセットトップボックス５０について説明する。この第２実施形態では、ケーブルテレビ局３からケーブルテレビ放送信号を受信する上記第１実施形態と異なり、アンテナ４から衛星放送信号を受信するように構成されている。
【００４９】
まず、図７を参照して、本発明の第２実施形態によるセットトップボックス５０を含むホームネットワーク５について説明する。なお、セットトップボックス５０は、本発明の「放送受信装置」の一例である。
【００５０】
ホームネットワーク５は、図７に示すように、セットトップボックス５０と、ＰＣ２０と、テレビジョン装置３０とが家庭内同軸配線２を介して接続されることにより構成されている。このホームネットワーク５は、上記第１実施形態と同様に、ＭｏＣＡ規格に準拠したネットワークである。なお、第２実施形態では、家庭内同軸配線２は、アンテナ４に接続されている。このアンテナ４は、放送衛星から各放送チャンネルに対応する衛星放送電波を受信するとともに、受信した衛星放送電波に対応する衛星放送信号を生成して家庭内同軸配線２上に衛星放送信号を伝送するように構成されている。
【００５１】
また、第２実施形態では、図８に示すように、ＭｏＣＡ規格によるＤ１〜Ｄ８チャンネルが形成される周波数帯域（１１２５ＭＨｚ以上１５２５ＭＨｚ以下の周波数帯域）は、アンテナ４により伝送される衛星放送信号の使用周波数帯域（１２００ＭＨｚ以上１８００ＭＨｚ以下の周波数帯域）と重複している。したがって、セットトップボックス５０、ＰＣ２０およびテレビジョン装置３０は、ホームネットワーク５を構築する際に、衛星放送信号の使用周波数帯域と重複するＤ１〜Ｄ８チャンネルを使用せずに、Ａ１、Ｂ１およびＣ１〜Ｃ４チャンネルを選択的に使用するように構成されている。以下では、セットトップボックス５０がホームネットワーク５におけるＮＣノードとして機能するものとする。
【００５２】
次に、図３を参照して、本発明の第２実施形態によるセットトップボックス５０の構成について説明する。
【００５３】
本発明の第２実施形態によるセットトップボックス５０は、図３に示すように、通信部５１と、ＣＰＵ５２と、映像出力部１３と、メモリ５４と、リモコン受光部１５と、リモコン１６とにより構成されている。なお、ＣＰＵ５２は、本発明の「制御部」の一例である。
【００５４】
通信部５１は、家庭内同軸配線２を介してアンテナ４（図７参照）に接続されている。また、通信部５１は、ＭｏＣＡ規格に準拠した通信を行うことが可能なように構成されている。また、通信部５１は、スイッチ５１１と、送信部５１２と、受信部５１３とにより構成されている。
【００５５】
スイッチ５１１は、家庭内同軸配線２と送信部５１２との接続と、家庭内同軸配線２と受信部５１３との接続とを時分割で切り替えるように構成されている。送信部５１２は、ＭｏＣＡ規格によるネットワーク信号を送信可能なように構成されている。
【００５６】
受信部５１３は、家庭内同軸配線２を介してアンテナ４（図７参照）から伝送される衛星放送信号を受信可能なように構成されている。この衛星放送信号は、６ＭＨｚの帯域幅を有している。また、受信部５１３は、ＭｏＣＡ規格によるネットワーク信号を受信可能なように構成されている。
【００５７】
ここで、第２実施形態では、ＣＰＵ５２は、衛星放送信号およびネットワーク信号を受信部５１３を介して受信して、上記第１実施形態と同様の処理を行うように構成されている。
【００５８】
なお、第２実施形態のその他の構成は、上記第１実施形態と同様である。
【００５９】
次に、図９〜図１１を参照して、本発明の第２実施形態によるセットトップボックス５０のユーザによりホームネットワーク５の通信チャンネルが変更される際におけるＣＰＵ５２の処理フローについて説明する。
【００６０】
まず、図６に示すように、ステップＳ１１において、ユーザにより所定の操作（リモコン１６の十字キー１６ａや決定キー１６ｂなどを用いた選択決定操作）が行われた場合に、衛星放送信号およびネットワーク信号の周波数マップ（たとえば、図９参照）がテレビジョン装置４０の表示部４１に表示される。図９に示す周波数マップでは、現在使用しているネットワーク信号の周波数帯域（Ｃ４チャンネル）およびそのネットワーク信号の信号強度と、現在使用しているネットワーク信号の周波数帯域の近傍の３つの衛星放送信号の周波数帯域およびそれら３つの衛星放送信号の受信レベルとが棒グラフ形式で表示されている。なお、衛星放送信号の周波数情報は、受信部５１３により家庭内同軸配線２上のスキャニングが行われることにより取得される。
【００６１】
次に、ステップＳ１２において、ユーザにより通信チャンネルの変更操作（リモコン１６の十字キー１６ａや決定キー１６ｂなどを用いた選択決定操作）が行われたか否かが判断される。このステップＳ１２においては、ユーザにより通信チャンネルの変更操作が行われるまでこの判断が繰り返され、ユーザにより通信チャンネルの変更操作が行われたと判断された場合に、ステップＳ１３に進む。
【００６２】
次に、ステップＳ１３において、変更後の通信チャンネルでホームネットワーク５を再構築するためのビーコン信号が送信部５１２を介して送信される。たとえば、上記ステップＳ１２において、ユーザにより通信チャンネルをＣ４チャンネルからＣ３チャンネルに変更する操作が行われた場合には、Ｃ４チャンネルで構築されているホームネットワーク５が一旦破棄されて、Ｃ３チャンネルでホームネットワーク５が再構築される。
【００６３】
次に、ステップＳ１４において、通信チャンネルの変更後の周波数マップがテレビジョン装置４０の表示部４１に表示される。たとえば、図９に示すような周波数マップがテレビジョン装置４０の表示部４１に表示された状態で、ユーザにより通信チャンネルをＣ４チャンネルからＣ３チャンネルに変更する操作が行われた場合には、図１０に示すような周波数マップがテレビジョン装置４０の表示部４１に表示される。そして、処理を終了する。
【００６４】
第２実施形態の効果は、上記第１実施形態と同様である。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記第１および第２実施形態では、本発明の放送受信装置としてセットトップボックスを用いる例を示したが、本発明はこれに限らない。本発明では、放送受信装置として、テレビジョン装置や、ＰＣなどを用いてもよい。
【００６７】
また、上記第１および第２実施形態では、ケーブルテレビ放送信号および衛星放送信号を受信するセットトップボックスを示したが、本発明はこれに限らない。本発明では、地上波テレビ放送信号を受信するセットトップボックスであってもよい。なお、この場合、周波数マップには、地上波テレビ放送信号およびネットワーク信号の使用周波数帯域が表示部に表示される。
【００６８】
また、上記第１および第２実施形態では、同軸配線上でＭｏＣＡ規格に準拠したネットワークを構築するセットトップボックスを示したが、本発明はこれに限らない。本発明では、同軸配線上でＭｏＣＡ規格以外の規格（たとえば、ＤＯＣＳＩＳ規格（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎｓ規格））に準拠したネットワークを構築するセットトップボックスであってもよい。
【００６９】
また、上記第１および第２実施形態では、放送信号およびネットワーク信号の使用周波数帯域と、放送信号の受信レベルおよびネットワーク信号の信号強度とを表示部に表示させるセットトップボックスを示したが、本発明はこれに限らない。本発明では、放送信号およびネットワーク信号の使用周波数帯域のみを表示部に表示させるセットトップボックスであってもよい。
【００７０】
また、上記第１および第２実施形態では、放送信号およびネットワーク信号の使用周波数帯域と、放送信号の受信レベルおよびネットワーク信号の信号強度とを棒グラフ形式で表示部に表示させるセットトップボックスを示したが、本発明はこれに限らない。本発明では、放送信号およびネットワーク信号の使用周波数帯域と、放送信号の受信レベルおよびネットワーク信号の信号強度とを棒グラフ形式以外の形式（たとえば、文字や数字により表示する形式）で表示部に表示させるセットトップボックスであってもよい。
【００７１】
また、上記第１および第２実施形態では、現在使用している前記ネットワーク信号の周波数帯域と、現在使用しているネットワーク信号の周波数帯域の近傍の３つの放送信号の周波数帯域とを表示部に表示させるセットトップボックスを示したが、本発明はこれに限らない。本発明では、現在使用している前記ネットワーク信号の周波数帯域と、現在使用しているネットワーク信号の周波数帯域の近傍の放送信号の周波数帯域とを少なくとも表示部に表示させていればよい。たとえば、放送信号の使用周波数帯域の全体を表示部に表示させてもよい。
【符号の説明】
【００７２】
２  家庭内同軸配線（同軸配線）
１０、５０  セットトップボックス（放送受信装置）
１２、５２  ＣＰＵ（制御部）
４１  表示部
１１２、５１２  送信部
１１３、５１３  受信部
【図１】
2012090128.tif 000003
【図２】
2012090128.tif 000004
【図３】
2012090128.tif 000005
【図４】
2012090128.tif 000006
【図５】
2012090128.tif 000007
【図６】
2012090128.tif 000008
【図７】
2012090128.tif 000009
【図８】
2012090128.tif 000010
【図９】
2012090128.tif 000011
【図１０】
2012090128.tif 000012
【図１１】
2012090128.tif 000013